(57)【要約】【課題】電極材同士の電解液の混合を防止することができる電池を提供する。【解決手段】第１の導電材１１は、両面に第１の被覆膜１２，１２が設けられている。第１のシーラント１３は、額縁状をなし、第１の導電材１１の側面に接触する状態で第１の導電材１１の側面側に設けられ、第１の導電材１１及び第１の被覆膜１２，１２を挟んでいる。第１の電極材１０，１０は、夫々第１の被覆膜１２，１２の表面にて、第１のシーラント１３の内側に位置している。第１の隔膜１４は第１の電極材１０上に設けられている。第１の隔膜１４の周縁部は、第１のシーラント１３における電極材１０を囲う部分に固着されている。【選択図】図２
2016186862.tif 000002
【特許請求の範囲】
【請求項１】
活物質、及び酸性又はアルカリ性の電解液を含有する複数の第１の電極材と、
平板状をなし、両面が前記第１の電極材に対向する第１の導電材と、
導電性かつ電解液非透過性であり、前記第１の電極材及び第１の導電材間に設けられ、前記第１の導電材の前記両面を覆い、表面に前記第１の電極材が配される二つの第１の被覆部と、
電解液非透過性であり、額縁状をなし、前記第１の電極材を囲み、前記二つの第１の被覆部の周縁部に固着され、前記第１の被覆部とにより前記第１の導電材を封止する第１のシーラントと、
前記第１の電極材及び第１のシーラント上に設けられ、前記第１のシーラントに固着された第１の隔膜と
を備えることを特徴とする電極ユニット。
【請求項２】
請求項１に記載の電極ユニットが積層方向に並設されていることを特徴とする電池。
【請求項３】
前記電極ユニットは折れ曲がっていることを特徴とする請求項２に記載の電池。
【請求項４】
活物質、及び酸性又はアルカリ性の電解液を含有する複数の第２の電極材と、
平板状をなし、両面が前記第２の電極材に対向する第２の導電材と、
導電性かつ電解液非透過性であり、前記第２の電極材及び第２の導電材間に設けられ、前記第２の導電材の前記両面を覆い、表面に前記第２の電極材が配される二つの第２の被覆部と、
電解液非透過性であり、額縁状をなし、前記第２の電極材を囲み、前記二つの第２の被覆部の周縁部に固着され、前記第２の被覆部とにより前記第２の導電材を封止する第２のシーラントと
を有する第２の電極ユニットを備え、
請求項１に記載の電極ユニット及び前記第２の電極ユニットが交互に並設されている
ことを特徴とする請求項２又は３に記載の電池。
【請求項５】
請求項１に記載の電極ユニットは折れ曲がっており、折り曲げられた間に前記第２の電極ユニットが配されていることを特徴とする請求項４に記載の電池。
【請求項６】
前記第２の電極ユニットは折れ曲がっており、折り曲げられた間に請求項１に記載の電極ユニットが配されていることを特徴とする請求項４又は５に記載の電池。
【請求項７】
活物質、及び酸性又はアルカリ性の電解液を含有する第３の電極材と、
平板状をなし、一面が前記第３の電極材に対向する第３の導電材と、
導電性かつ電解液非透過性であり、前記第３の導電材の両面を覆い、一方が、前記第３の電極材及び第３の導電材間に設けられ、表面に前記第３の電極材が配される二つの第３の被覆部と、
電解液非透過性であり、額縁状をなし、前記第３の電極材を囲み、前記二つの第３の被覆部の周縁部に固着され、第３の被覆部とにより前記第３の導電材を封止する第３のシーラントと、
前記第３の電極材及び前記第３のシーラント上に設けられ、前記第３のシーラントに固着されている第３の隔膜と
を有する第３の電極ユニットを二つ備え、
該二つの第３の電極ユニットは、前記第３の隔膜に面して請求項１から６までのいずれかに記載の電極ユニットを挟んであることを特徴とする電池。
【請求項８】
請求項１から７までのいずれかに記載の電極ユニットを覆う外装と、
該外装の内部に封入された電解液と
を備えることを特徴とする電池。
【請求項９】
活物質、及び酸性又はアルカリ性の電解液を含有する第４の電極材と、
平板状をなし、一面が前記第４の電極材に対向する第４の導電材と、
導電性かつ電解液非透過性であり、前記第４の電極材及び第４の導電材間に設けられ、前記第４の導電材の前記一面を覆い、表面に前記第４の電極材が配される第４の被覆部と、
電解液非透過性であり、一面が前記第４の導電材の他面を覆うフィルムと、
電解液非透過性であり、額縁状をなし、前記フィルムの前記一面及び前記第４の被覆部の周縁部に固着され、前記第４の電極材を囲み、前記フィルム及び前記第４の被覆部とにより前記第４の導電材を封止する第４のシーラントと
を有する第４の電極ユニットを二つ備え、
該二つの第４の電極ユニットは、前記第４の電極材に面して請求項１から６までのいずれかに記載の電極ユニットを挟むように配され、
前記フィルムは、夫々の周縁部が固着され、
固着された前記フィルムの内部には、電解液が封入されている
ことを特徴とする電池。
【請求項１０】
前記活物質は、バナジウムイオン又はバナジウムを含むイオンを含有すること
を特徴とする請求項２から９までのいずれか一つに記載の電池。
【発明の詳細な説明】
【技術分野】
【０００１】
本発明は、電極材及び導電材を有する電極ユニット及び電池に関する。
【背景技術】
【０００２】
電池は、デジタル家電製品、電気自動車、ハイブリッド自動車及び太陽光発電設備等に広く用いられている。この電池として、バナジウム固体塩電池等が挙げられる（例えば、特許文献１参照）。
【０００３】
バナジウム固体塩電池は、セルをケースに収容することにより構成される。セルは、積層方向に並設された複数の電極ユニット及び該複数の電極ユニットを覆う外装を備える。電極ユニットは、電極材及び導電材を有している。電極材は、多孔質の炭素材と、該炭素材が含有するバナジウムイオン又はバナジウムを含むイオンを含有する活物質と、電解液とを有する。
【０００４】
バナジウム固体塩電池では、複数の電極ユニットが隔膜を介して各々の電極ユニットが有する電極材を対向させて並設されている。隔膜を介して複数の電極ユニットを並設することにより、一の電極ユニットが有する正極に係る電極材及び隣り合う他の電極ユニットが有する負極に係る電極材夫々の電解液が混合し、電池の性能が低下することを防止している。バナジウム固体塩電池は、正極に係る電極材及び負極に係る電極材間における酸化還元反応を利用して充放電を行う。
【先行技術文献】
【特許文献】
【０００５】
【特許文献１】特開２０１４−２３５８３３号公報
【発明の概要】
【発明が解決しようとする課題】
【０００６】
しかしながら、正極に係る電極材及び負極に係る電極材の間に、単純に隔膜を設けるだけでは、電解液の混合の対策として十分でない。
【０００７】
本発明は、斯かる事情に鑑みてなされたものであり、その目的とするところは、電極材同士の電解液の混合を防止することができる電極ユニット及び電池を提供することにある。
【課題を解決するための手段】
【０００８】
本発明に係る電極ユニットは、活物質、及び酸性又はアルカリ性の電解液を含有する複数の第１の電極材と、平板状をなし、両面が前記第１の電極材に対向する第１の導電材と、導電性かつ電解液非透過性であり、前記第１の電極材及び第１の導電材間に設けられ、前記第１の導電材の前記両面を覆い、表面に前記第１の電極材が配される二つの第１の被覆部と、電解液非透過性であり、額縁状をなし、前記第１の電極材を囲み、前記二つの第１の被覆部の周縁部に固着され、前記第１の被覆部とにより前記第１の導電材を封止する第１のシーラントと、前記第１の電極材及び第１のシーラント上に設けられ、前記第１のシーラントに固着された第１の隔膜とを備えることを特徴とする。
【０００９】
本発明によれば、第１の被覆部により、第１の導電材は、第１の電極材に直接接触しない。また、第１の導電材の側面は第１のシーラントに覆われている。したがって、第１の電極材が含有する電解液による第１の導電材の腐食が防止される。第１の被覆部は導電性であるので、第１の電極材及び第１の導電材間の電子の移動が担保されている。
【００１０】
また、第１の電極材は、第１の被覆部、第１のシーラント及び第１の隔膜により全体を覆われることとなり、電解液が外部に漏れ出すことを防止できる。したがって、電極ユニットは、電池内において電極ユニットの電極材同士の電解液の混合を防止できる。
【００１１】
本発明に係る電池は、上述の電極ユニットが積層方向に並設されていることを特徴とする。
【００１２】
本発明によれば、電極ユニットが積層方向に並設されているので、電池の容量を増大できる。また、電極ユニットの電解液が漏れ出さないように構成されているため、電池内での電極材同士の電解液の混合を防止できる。
【００１３】
本発明に係る電池は、前記電極ユニットは折れ曲がっていることを特徴とする。
【００１４】
本発明によれば、電極ユニットが折れ曲がっているので、折り曲げられた電極ユニットの間に他の電極ユニットを挟むことが可能となり、電池の組み立て性が向上する。
【００１５】
本発明に係る電池は、活物質、及び酸性又はアルカリ性の電解液を含有する複数の第２の電極材と、平板状をなし、両面が前記第２の電極材に対向する第２の導電材と、導電性かつ電解液非透過性であり、前記第２の電極材及び第２の導電材間に設けられ、前記第２の導電材の前記両面を覆い、表面に前記第２の電極材が配される二つの第２の被覆部と、電解液非透過性であり、額縁状をなし、前記第２の電極材を囲み、前記二つの第２の被覆部の周縁部に固着され、前記第２の被覆部とにより前記第２の導電材を封止する第２のシーラントとを有する第２の電極ユニットを備え、上述の電極ユニット及び前記第２の電極ユニットが交互に並設されていることを特徴とする。
【００１６】
本発明によれば、第２の被覆部により、第２の導電材は、第２の電極材に直接接触しない。また、第２の導電材の側面は第２のシーラントに覆われている。したがって、第２の電極材が含有する電解液による第２の導電材の腐食が防止される。第２の被覆部は導電性であるので、第２の電極材及び第２の導電材間の電子の移動が担保されている。また、隔膜を有しない第２の電極ユニットを用いるので、電池を薄型化することができる。
【００１７】
本発明に係る電池は、上述の電極ユニットは折れ曲がっており、折り曲げられた間に前記第２の電極ユニットが配されていることを特徴とする。
【００１８】
本発明によれば、上述の電極ユニットが折れ曲がっており、折り曲げられた上述の電極ユニットの間に第２の電極ユニットを挟んで構成されているので、電池の組み立て性を向上できる。
【００１９】
本発明に係る電池は、前記第２の電極ユニットは折れ曲がっており、折り曲げられた間に上述の電極ユニットが配されていることを特徴とする。
【００２０】
本発明によれば、第２の電極ユニットが折れ曲がっており、折り曲げられた第２の電極ユニットの間に上述の電極ユニットを挟んで構成されているので、電池の組み立て性を向上できる。
【００２１】
本発明に係る電池は、活物質、及び酸性又はアルカリ性の電解液を含有する第３の電極材と、平板状をなし、一面が前記第３の電極材に対向する第３の導電材と、導電性かつ電解液非透過性であり、前記第３の導電材の両面を覆い、一方が、前記第３の電極材及び第３の導電材間に設けられ、表面に前記第３の電極材が配される二つの第３の被覆部と、電解液非透過性であり、額縁状をなし、前記第３の電極材を囲み、前記二つの第３の被覆部の周縁部に固着され、第３の被覆部とにより前記第３の導電材を封止する第３のシーラントと、前記第３の電極材及び前記第３のシーラント上に設けられ、前記第３のシーラントに固着されている第３の隔膜とを有する第３の電極ユニットを二つ備え、該二つの第３の電極ユニットは、前記第３の隔膜に面して上述の電極ユニットを挟んであることを特徴とする。
【００２２】
本発明によれば、第３の被覆部により、第３の導電材は、第３の電極材に直接接触しない。また、第３の導電材の側面は第３のシーラントに覆われている。したがって、第３の導電材の腐食が防止される。第３の被覆部は導電性であるので、第３の電極材及び第３の導電材間の電子の移動が担保されている。また、第３の電極材は、第３の被覆部、第３のシーラント及び第３の隔膜により全体を覆われることとなり、電解液が外部に漏れ出すことを防止できる。
【００２３】
また、二つの第３の電極ユニットは、第３の導電材の他面側に電極材が配されておらず、第３の隔膜に面して上述の電極ユニットを挟んでいる。したがって、第３の電極ユニットを最外部として電極ユニットを並設でき、並設された電極ユニットを外装で覆うことにより電池を容易に組み立てることができる。
【００２４】
本発明に係る電池は、上述の電極ユニットを覆う外装と、該外装の内部に封入された電解液とを備えることを特徴とする。
【００２５】
本発明によれば、外装内に封入された電解液により、正極又は負極に係る電極材に電解液を含浸させることができる。
【００２６】
本発明に係る電池は、活物質、及び酸性又はアルカリ性の電解液を含有する第４の電極材と、平板状をなし、一面が前記第４の電極材に対向する第４の導電材と、導電性かつ電解液非透過性であり、前記第４の電極材及び第４の導電材間に設けられ、前記第４の導電材の前記一面を覆い、表面に前記第４の電極材が配される第４の被覆部と、電解液非透過性であり、一面が前記第４の導電材の他面を覆うフィルムと、電解液非透過性であり、額縁状をなし、前記フィルムの前記一面及び前記第４の被覆部の周縁部に固着され、前記第４の電極材を囲み、前記フィルム及び前記第４の被覆部とにより前記第４の導電材を封止する第４のシーラントとを有する第４の電極ユニットを二つ備え、該二つの第４の電極ユニットは、前記第４の電極材に面して上述の電極ユニットを挟むように配され、前記フィルムは、夫々の周縁部が固着され、固着された前記フィルムの内部には、電解液が封入されていることを特徴とする。
【００２７】
本発明によれば、第４の被覆部により、第４の導電材は、第４の電極材に直接接触しない。また、第４の導電材の側面は第４のシーラントに覆われている。したがって、第４の導電材の腐食が防止される。第４の被覆部は導電性であるので、第４の電極材及び第４の導電材間の電子の移動が担保されている。
【００２８】
また、第４の電極ユニットを最外部として、電極ユニットを並設し、かつ第４の電極ユニットのフィルムを電池の外装として使用できるので、電池の組み立て性が向上する。更に、固着されたフィルム内に封入された電解液を正極又は負極に係る電極材に含浸させることができる。
【００２９】
本発明に係る電池は、前記活物質は、バナジウムイオン又はバナジウムを含むイオンを含有することを特徴とする。
【００３０】
本発明によれば、バナジウムイオン又はバナジウムを含むイオンを含有する活物質を用いることにより、正極及び負極の活物質を同一として電池を構成でき、電池の設計が容易となる。
【発明の効果】
【００３１】
本発明によれば、電極材同士の電解液の混合を防止することができる
【図面の簡単な説明】
【００３２】
【図１】実施の形態１に係る電池が備えるセルを示す平面図である。
【図２】図１のＩＩ−ＩＩ線による断面図である。
【図３】実施の形態２に係る電池が備えるセルの断面図である。
【図４】第１の電極ユニットの断面図である。
【図５】実施の形態３に係る電池が備えるセルの断面図である。
【図６】第２の電極ユニットの断面図である。
【図７】実施の形態４に係る電池が備えるセルの断面図である。
【図８】実施の形態５に係る電池が備えるセルの断面図である。
【図９】実施の形態６に係る電池が備えるセルの断面図である。
【図１０】実施の形態７に係る電池が備えるセルの断面図である。
【発明を実施するための形態】
【００３３】
以下、本発明をその実施の形態を示す図面に基づいて詳述する。
（実施の形態１）
図１において、１００はバナジウム固体塩電池が備えるセルである。バナジウム固体塩電池は、図示のセル１００を一つ又は複数個ケースに収容することにより構成されている。セル１００は袋状の外装１０１と、該外装１０１から突出した正極端子１０２及び負極端子１０３とを備える。
【００３４】
外装１０１は、図２に示すように一面の周縁部が互いに固着された電解液非透過性のフィルム１０４，１０４により構成されている。
【００３５】
セル１００は、外装１０１の内部に並設された二つの第１の電極ユニット１，１、三つの第２の電極ユニット２，２，２、及び二つの第３の電極ユニット３，３を備える。第１の電極ユニット１，１及び第２の電極ユニット２，２，２は、積層方向に交互に並設され、隣接している。
【００３６】
第３の電極ユニット３，３は、前記積層方向の両端に位置し、第１の電極ユニット１，１及び第２の電極ユニット２，２，２を挟んである。また、第３の電極ユニット３，３は、夫々フィルム１０４，１０４に隣接している。
【００３７】
第１の電極ユニット１，１及び第３の電極ユニット３，３は、負極をなし、第２の電極ユニット２，２，２は正極をなすように構成されている。したがって、第１の電極ユニット１，１、第２の電極ユニット２，２，２、及び第３の電極ユニット３，３は並列に接続されることとなる。なお、セル１００は、第１の電極ユニット１，１及び第３の電極ユニット３，３が正極をなし、第２の電極ユニット２，２，２が負極をなす構成であってもよい。
【００３８】
第１の電極ユニット１は、平板状の第１の電極材１０，１０と、平板状の第１の導電材１１とを有する。第１の電極材１０は、活物質及び酸性の電解液を含有する。第１の導電材１１は、両面に第１の被覆膜１２，１２が設けられている。第１の被覆膜１２は、導電性かつ電解液非透過性であり、例えば黒鉛コーティングにより形成される。
【００３９】
なお、第１の被覆膜１２に代えて、導電性かつ電解液非透過性を有していれば、導電性フィルム、シート状の導電性ゴム、グラファイトシート等を用いる構成とすることができる。例えば、グラファイトシートを導電性を有する接着シートを介して、第１の導電材１１の両面に配する構成としてもよい。
【００４０】
第１の電極ユニット１は、更に電解液非透過性の第１のシーラント１３を有する。第１のシーラント１３は、額縁状をなし、第１の導電材１１の側面に接触する状態で第１の導電材１１の側面側に設けられ、第１の導電材１１及び第１の被覆膜１２，１２を挟んでいる。また、第１のシーラント１３は、第１の被覆膜１２，１２の表面の周縁部に固着されている。
【００４１】
第１の電極材１０，１０は、夫々第１の被覆膜１２，１２の表面にて、第１のシーラント１３の内側に位置している。したがって、第１の導電材１１の両面は、第１の電極材１０，１０に対向し、第１の被覆膜１２，１２は、第１の導電材１１と第１の電極材１０，１０との間に設けられていることとなる。
【００４２】
また、第１の電極材１０の側面は、第１のシーラント１３に囲まれている。なお、第１の電極材１０の側面は、第１のシーラント１３に接触する構成、又は第１のシーラント１３に接触せず隙間が設けられている構成のいずれであってもよい。
【００４３】
更に、第１の電極ユニット１は、第１の隔膜１４，１４を有する。第１の隔膜１４は第１の電極材１０上に設けられている。第１の隔膜１４の周縁部は、第１のシーラント１３における第１の電極材１０を囲う部分に固着されている。これにより、第１の電極材１０は、第１の被覆膜１２、第１のシーラント１３及び第１の隔膜１４に、全体を覆われることになる。
【００４４】
また、第１の電極ユニット１は、第１のシーラント１３の周縁の一部から突出するタブ（不図示）を有する。該タブは、第１の導電材１１及び負極端子１０３に接続されている。
【００４５】
第２の電極ユニット２は、平板状の第２の電極材２０，２０と、平板状の第２の導電材２１とを有する。第２の電極材２０は、活物質及び酸性の電解液を含有する。第２の導電材２１は、両面に第２の被覆膜２２，２２が設けられている。第２の被覆膜２２は、導電性かつ電解液非透過性であり、第１の被覆膜１２同様、例えば黒鉛コーティングにより形成される。
【００４６】
第２の電極ユニット２は、更に電解液非透過性の第２のシーラント２３を有する。第２のシーラント２３は、額縁状をなし、第２の導電材２２の側面に接触する状態で第２の導電材２２の側面側に設けられ、第２の導電材２１及び第２の被覆膜２２，２２を挟んでいる。また、第２のシーラント２３は、第２の被覆膜２２，２２の表面の周縁部に固着されている。
【００４７】
第２の電極材２０，２０は、夫々第２の被覆膜２２，２２の表面にて、第２のシーラント２３の内側に位置している。したがって、第２の導電材２１の両面は、第２の電極材２０，２０に対向し、第２の被覆膜２２，２２は、第２の導電材２１と第２の電極材２０，２０との間に設けられていることとなる。
【００４８】
また、第２の電極材２０の側面は、第２のシーラント２３に囲まれている。なお、第２の電極材２０の側面は、第２のシーラント２３に接触する構成、又は第２のシーラント２３に接触せず隙間が設けられている構成のいずれであってもよい。
【００４９】
また、第２の電極ユニット２は、第２のシーラント２３の周縁の一部から突出するタブ（不図示）を有する。該タブは、第２の導電材２１及び正極端子１０２に接続されている。
【００５０】
第３の電極ユニット３は、平板状の単一の第３の電極材３０と、平板状の第３の導電材３１とを有する。第３の電極材３０は、活物質及び酸性の電解液を含有する。第３の導電材３１は、両面に第３の被覆膜３２，３２が設けられている。第３の被覆膜３２は、導電性かつ電解液非透過性であり、第１の被覆膜１２同様、例えば黒鉛コーティングにより形成される。
【００５１】
第３の電極ユニット３は、更に電解液非透過性の第３のシーラント３３を有する。第３のシーラント３３は、額縁状をなし、第３の導電材３１の側面に接触する状態で第３の導電材３１の側面側に設けられ、第３の導電材３１及び第３の被覆膜３２，３２を挟んでいる。また、第３のシーラント３３は、第３の被覆膜３２，３２の表面の周縁部に固着されている。
【００５２】
第３の電極材３０は、第３の被覆膜３２の表面にて、第３のシーラント３３の内側に位置している。したがって、第３の導電材３１の一面は、第３の電極材３０に対向し、第３の被覆膜３２は、第３の導電材３１と第３の電極材３０との間に設けられていることとなる。
【００５３】
また、第３の電極材３０の側面は、第３のシーラント３３に囲まれている。なお、第３の電極材３０の側面は、第３のシーラント３３に接触する構成、又は第３のシーラント３３に接触せず隙間が設けられている構成のいずれであってもよい。
【００５４】
更に、第３の電極ユニット３は、第３の隔膜３４を有する。第３の隔膜３４は第３の電極材３０上に設けられている。第３の隔膜３４の周縁部は、第３のシーラント３３における第３の電極材３０を囲う部分に固着されている。これにより、第３の電極材３０は、第３の被覆膜３２、第３のシーラント３３及び第３の隔膜３４に、全体を覆われることになる。
【００５５】
また、第３の電極ユニット３は、第３のシーラント３３の周縁の一部から突出するタブ（不図示）を有する。該タブは、第３の導電材３１及び負極端子１０３に接続されている。
【００５６】
また、第３の電極ユニット３，３は、夫々の第３の隔膜３４を対向させ、第３の隔膜３４に第２の電極ユニット２，２が面するように、第１の電極ユニット１，１及び第２の電極ユニット２，２，２を挟んでいる。
【００５７】
第１の電極ユニット１，１夫々のタブ及び第３の電極ユニット３，３のタブが接続された負極端子１０３、第２の電極ユニット２，２，２夫々のタブが接続された正極端子１０２によりセル１００は外部と電子のやり取りが行われる。
【００５８】
以下、本発明に係るセル１００を構成する材料について詳述する。第１の電極材１０、第２の電極材２０及び第３の電極材３０は、夫々第１の被覆膜１２、第２の被覆膜２２及び第３の被覆膜３２に、バナジウムイオン又はバナジウムを含むイオンを含有する活物質を含む固体状の化合物を有する析出物を担持させてなる。
【００５９】
正極として機能する第２の電極ユニット２の第２の電極材２０の活物質に含まれるバナジウムイオン又はバナジウムを含むイオンは、酸化還元反応によって、５価及び４価の間で酸化数が変化するバナジウムを含むイオンであるのが好ましい。５価及び４価の間で酸化数が変化するバナジウムを含むイオンとしては、ＶＯ2+（IV）、ＶＯ2+（V ）が例示される。
【００６０】
正極用の活物質であるバナジウム化合物は、酸化硫酸バナジウム（IV）（ＶＯＳＯ4 ・ｎＨ2 Ｏ）、酸化硫酸バナジウム（V ）（（ＶＯ2 ）2 ＳＯ4 ・ｎＨ2 Ｏ）を挙げることができる。これらの混合物を用いてもよい。ｎは、０又は１〜６の整数である。
【００６１】
負極として機能する第１の電極ユニット１が有する第１の電極材１０及び第３の電極ユニット３が有する第３の電極材３０の活物質に含まれるバナジウムイオン又はバナジウムを含むイオンは、酸化還元反応によって、２価及び３価の間で酸化数が変化するバナジウムイオンであるのが好ましい。２価及び３価の間で酸化数が変化するバナジウムイオンとしては、Ｖ2+（II）、Ｖ3+（III ）が例示される。
【００６２】
負極用の活物質であるバナジウム化合物としては、硫酸バナジウム（II）（ＶＳＯ4 ・ｎＨ2 Ｏ）、硫酸バナジウム（III ）（Ｖ2 （ＳＯ4 ）３・ｎＨ2 Ｏ）が挙げられる。これらの混合物が用いられ得る。ｎは、０又は１〜６の整数である。
【００６３】
また、第１の電極材１０、第２の電極材２０及び第３の電極材３０に含まれる電解液は、硫酸水溶液であるのが好ましい。硫酸水溶液として、例えば希硫酸等を用いることができる。電解液の量は、例えばバナジウム化合物１００ｇに対して、２Ｍ（ｍｏｌ／Ｌ）の硫酸７０ｍＬである。
【００６４】
第１の隔膜１４を隔てて対向する第１の電極材１０及び第２の電極材２０間と、第３の隔膜３４を隔てて対向する第２の電極材２０及び第３の電極材３０間とにおいて、夫々下記式（１）及び（２）の反応が生じる。
正極：ＶＯＸ2 ・ｎＨ2 Ｏ（ｓ）⇔ＶＯ2 Ｘ・ｎＨ2 Ｏ（ｓ）＋ＨＸ＋Ｈ+ ＋ｅ-   （１）
負極：ＶＸ3 ・ｎＨ2 Ｏ（ｓ）＋ｅ- ⇔２ＶＸ2 ・ｎＨ2 Ｏ（ｓ）＋Ｘ-   （２）
式中、Ｘは１価の陰イオンを表す。Ｘがｍ価の陰イオンである場合、結合係数（１／ｍ）が考慮される。ｎは、バナジウム化合物に対応する種々の値をとり得る。
【００６５】
第１の隔膜１４及び第３の隔膜３４は、水素イオン（プロトン）又は硫酸イオンを通過させることができるイオン交換膜である。第１の導電材１１、第２の導電材２１及び第３の導電材３１は、アルミニウム又は銅等の金属箔からなるのが好ましい。
【００６６】
第１のシーラント１３、第２のシーラント２３及び第３のシーラント３３は、ポリプロピレン又はポリエチレン等を用いることが好ましい。これにより、熱溶着で容易に第１の導電材１１、第２の導電材２１及び第３の導電材３１を封止できる。
【００６７】
式（１）及び（２）の反応を利用してセル１００の充放電が行われる。このとき、正極端子１０２及び負極端子１０３により、外部の負荷又は充電器等との電子のやり取りが行われる。式（１）及び（２）の反応において第１の隔膜１４及び第３の隔膜３４を介して第１の電極材１０及び第２の電極材２０、第２の電極材２０及び第３の電極材３０夫々の間でプロトンが移動する。
【００６８】
上記の構成によれば、第１の被覆膜１２，１２により、第１の導電材１１は、第１の電極材１０，１０に直接接触しない。また、第１の導電材１１の側面及び第１の電極材１０の側面は第１のシーラント１３に覆われている。したがって、第１の電極材１０に含まれる電解液がしみ出したとしても、電解液が第１の導電材１１に接触しないので、第１の導電材１１の腐食が防止される。
【００６９】
第１の被覆膜１２，１２は導電性であるので、第１の電極材１０，１０及び第１の導電材１１間の電子の移動が担保されている。なお、第２の導電材２１及び第３の導電材３１も同様に腐食が防止され、電子の移動が担保されている。
【００７０】
また、第１の導電材１１の両面夫々に、第１の被覆膜１２，１２が配されている。第１のシーラント１３は、額縁状をなし、第１の被覆膜１２，１２の表面の周縁部に固着されている。第１の隔膜１４は、周縁部が第１のシーラント１３における第１の電極材１０を囲う部分に固着されている。また、第１の電極材１０は第１の被覆膜１２上に配されている。
【００７１】
したがって、第１の電極材１０は、第１の被覆膜１２、第１のシーラント１３及び第１の隔膜１４により全体を覆われることとなり、電解液が外部に漏れ出すことを防止できる。
【００７２】
第１の電極ユニット１は、電解液が漏れ出さないように構成されているため、セル１００内で第２の電極材２０及び第３の電極材３０の電解液との混合を防止できる。
【００７３】
複数の電極ユニットが積層方向に並設されているので電極ユニットが単一の場合より容量を増大できる。また、隔膜を有しない第２の電極ユニット２を用いるので、セル１００及びセル１００を用いた電池を薄型化することができる。
【００７４】
第３の電極ユニット３においては、第３の導電材３１の一面に第３の電極材３０が対向している。また、第３の導電材３１の他面には、電解液非透過性の第３の被覆膜３２が配されている。したがって、該第３の導電材３１は、他面側から電解液により腐食されない。
【００７５】
また、二つの第３の電極ユニット３，３は、第３の導電材３４の他面側に電極材が配されていないので積層方向の最外部として並設でき、並設した第１の電極ユニット１，１及び第２の電極ユニット２，２，２及び第３の電極ユニット３，３を外装１０１で覆うことにより容易にセル１００を組み立てることができる。
【００７６】
なお、セル１００は、外装１０１内に電解液を封入する構成であってもよい。該電解液により、第２の電極ユニット２の第２の電極材２０に予め電解液を含浸させておく必要がなくなる。更に、イオン又はバナジウムを含むイオンを含有する活物質を用いることにより、正極及び負極において同一の活物質を用いることができ、電池の設計が容易となる。
【００７７】
なお、第３の電極ユニット３が第３の隔膜３４を有しておらず、該第３の電極ユニット３及び第１の電極ユニット１を隣接させる構成であってもよい。該構成においては、第１の電極材１０及び第３の電極材３０は第１の隔膜１４を介して対向することとなる。
【００７８】
なお、第１のシーラント１３は第１の導電材１１の側面に接触していない構成であってもよい。また、活物質はバナジウムでなく、鉄又はクロムである構成でもよく、電解液は、酸性でなくアルカリ性とする構成であってもよい。
【００７９】
（実施の形態２）
図３は、実施の形態２に係る電池が備えるセル１００の断面図である。実施の形態２に係る電池が備えるセル１００の構成について、実施の形態１と同様な構成については、同一の符号を付してその詳細な説明を省略する。実施の形態２に係るセル１００は、３つの第２の電極ユニット２，２，２、２つの第３の電極ユニット３，３及び第１の電極ユニット１６を備える。第２の電極ユニット２，２，２及び第３の電極ユニット３，３は実施の形態１と同様の構成である。
【００８０】
第３の電極ユニット３，３及び第１の電極ユニット１６は、負極をなし、第２の電極ユニット２，２，２は正極をなす。したがって、第２の電極ユニット２，２，２、第３の電極ユニット３，３及び第１の電極ユニット１６は並列に接続されている。なお、セル１００は、第３の電極ユニット３，３及び第１の電極ユニット１６が負極をなし、第２の電極ユニット２，２，２が正極をなす構成であってもよい。
【００８１】
第１の電極ユニット１６は一の第２の電極ユニット２を挟んであり、他の第２の電極ユニット２，２に挟まれた状態で配されている。第３の電極ユニット３，３は、第２の電極ユニット２，２，２、及び第１の電極ユニット１６を挟んであり、夫々外装１０１側両端に配されている。
【００８２】
図４は、第１の電極ユニット１６の断面図である。第１の電極ユニット１６は、矩形状をなし、第１の電極ユニット１と同様に平板状の第１の電極材１６０，１６０、平板状の第１の導電材１６１、二つの第１の被覆膜１６２，１６２及び第１のシーラント１６３及び第１の隔膜１６４を有する。第１の電極材１６０は、第１の導電材１６１の長手方向に離隔する電極材１６０ａ及び１６０ｂを有する。
【００８３】
第１の電極ユニット１６は、第１のシーラント１６３から突出するタブ（不図示）を有する。タブは、第１の導電材１６１及び負極端子１０３に接続されている。外装１０１内において、第１の電極ユニット１６は、電極材１６０ａ、１６０ｂの間にて折り曲げられている。なお、第１の電極材１６０は離隔した二個の電極材１６０ａ、１６０ｂを有する構成であるが、第１の電極材１６０は、第１の導電材１６１の長手方向に離隔した三個以上の電極材を有する構成としてもよい。該構成においては、第１の電極ユニット１をつづら折り状にしてセル１００内に配することができる。
【００８４】
図３に示すように、第１の電極ユニット１６は、折り曲げられた部分にて、第２の電極ユニット２を挟んでいる。
【００８５】
第１の電極材１６０，１６０、第１の導電材１６１、二つの第１の被覆膜１６２，１６２及び第１のシーラント１６３の材質は、第１の電極ユニット１と同様である。
【００８６】
上記の構成によれば、第１の電極ユニット１６が折り曲げられ、折り曲げられた第１の電極ユニット１６の間に第２の電極ユニット２を挟んでいるので、部品点数を削減でき、セル１００の組み立て性が向上する。
【００８７】
また、第１の電極ユニット１６は、電極材１６０ａ及び１６０ｂの配置を予め定めておくことで、折り曲げるだけで位置合わせをすることができ、セル１００内における位置精度を高めることができる。
【００８８】
（実施の形態３）
図５は、実施の形態３に係る電池が備えるセル１００の断面図である。実施の形態３に係る電池が備えるセル１００の構成について、実施の形態１と同様な構成については、同一の符号を付してその詳細な説明を省略する。セル１００は、２つの第１の電極ユニット１，１、２つの第３の電極ユニット３，３及び第２の電極ユニット２４を備える。
【００８９】
第１の電極ユニット１，１及び第３の電極ユニット３，３は、負極をなし、第２の電極ユニット２４は正極をなす。したがって、第１の電極ユニット１，１、第３の電極ユニット３，３及び第２の電極ユニット２４は並列に接続されている。なお、セル１００は、第１の電極ユニット１，１及び第３の電極ユニット３，３が正極をなし、第２の電極ユニット２４が負極をなす構成であってもよい。
【００９０】
第３の電極ユニット３，３は、第１の電極ユニット１，１及び第２の電極ユニット２４を挟んであり、夫々フィルム１０４，１０４に隣接している。
【００９１】
図６は、第２の電極ユニット２４の断面図である。第２の電極ユニット２４は、矩形状をなし、第２の電極ユニット１と同様に平板状の第２の電極材２４０，２４０、平板状の第２の導電材２４１、二つの第２の被覆膜２４２，２４２及び第２のシーラント２４３を有する。第２の電極材２４０は、第２の導電材２４１の長手方向に離隔する電極材２４０ａ、２４０ｂ、２４０ｃを有する。
【００９２】
第２の電極ユニット２４は、第２のシーラント２４３から突出するタブ（不図示）を有する。タブは、第２の導電材２４１及び正極端子１０２に接続されている。外装１０１内において、第２の電極ユニット２４は、電極材２４０ａ及び２４０ｂの間と、電極材２４０ｂ及び２４０ｃの間の二箇所にて折り曲げられ、全体としてＳ字状をなしている。
【００９３】
図５に示すように、第２の電極ユニット２４は、折り曲げられた二箇所夫々にて、第１の電極ユニット１，１を挟んでいる。
【００９４】
上記の構成によれば、第２の電極ユニット２４が折り曲げられ、折り曲げられた第２の電極ユニット２４の間にて第１の電極ユニット１，１を挟んでいるので、部品点数を削減でき、セル１００の組み立て性が向上する。
【００９５】
また、第２の電極ユニット２４は、電極材２４０ａ、２４０ｂ及び２４０ｃの配置を予め定めておくことで、折り曲げるだけで位置合わせをすることができ、セル１００内における位置精度を高めることができる。
【００９６】
なお、電極材２４０は、長手方向に離隔した三つの電極材２４０ａ、２４０ｂ、２４０ｃを有する構成としたが、長手方向に離隔した電極材を二つ有する構成又は四つ以上有する構成としてもよい。電極材２４０が長手方向に離隔した電極材を二つ有する構成では、第２の電極ユニット２４はＵ字状とでき、電極材２４０が長手方向に離隔した電極材を四つ以上有する構成では、第２の電極ユニット２４はつづら折り状とできる。
【００９７】
（実施の形態４）
図７は、実施の形態４に係る電池が備えるセル１００の断面図である。実施の形態４に係る電池が備えるセル１００の構成について、実施の形態１、実施の形態２及び実施の形態３と同様な構成については、同一の符号を付してその詳細な説明を省略する。実施の形態３に係るセル１００は、第２の電極ユニット２、第３の電極ユニット３，３、第１の電極ユニット１６及び第２の電極ユニット２５を備える。
【００９８】
第３の電極ユニット３，３及び第１の電極ユニット１６は、負極をなし、第２の電極ユニット２及び第２の電極ユニット２５は正極をなす。したがって、第３の電極ユニット３，３、第１の電極ユニット１６及び第２の電極ユニット２４は並列に接続されている。なお、セル１００は、第３の電極ユニット３，３及び第１の電極ユニット１６が正極をなし、第２の電極ユニット２及び第２の電極ユニット２５が負極をなす構成であってもよい。
【００９９】
第２の電極ユニット２５は、第２の電極ユニット２と同様の構造をなす。第２の電極ユニット２５は、矩形の平板状の第２の電極材２５０，２５０、矩形の平板状の第２の導電材２５１、二つの第２の被覆膜２５２，２５２及び第２のシーラント２５３を有する。第２の電極材２５０は、第２の導電材２５１の長手方向に離隔する電極２５０ａ及び２５０ｂを有する。
【０１００】
第２の電極ユニット２５は、第２のシーラント２５３から突出するタブ（不図示）を有する。タブは、第２の導電材２５１及び正極端子１０２に接続されている。外装１０１内において、第２の電極ユニット２５は、電極材２５０ａ及び２５０ｂの間にて折り曲げられている。
【０１０１】
第３の電極ユニット３，３は、夫々フィルム１０４，１０４に隣接し、第１の電極ユニット１６及び第２の電極ユニット２及び２５は、第３の電極ユニット３，３に挟まれている。
【０１０２】
図７に示すように、一方の第３の電極ユニット３に隣接するように第２の電極ユニット２５が配され、他方の第３の電極ユニット３に隣接するように第２の電極ユニット２が配されている。第１の電極ユニット１６は、第２の電極ユニット２に隣接するように配されている。
【０１０３】
また、第１の電極ユニット１６及び第２の電極ユニット２５は、夫々折り曲げられた部分が反対側に位置するように、互いに噛み合わされて配されている。
【０１０４】
上記の構成によれば、第１の電極ユニット１６及び第２の電極ユニット２５が折り曲げられ、折り曲げられた第１の電極ユニット１６及び第２の電極ユニット２５を噛み合わせているので、セル１００の組み立てを容易に行うことができる。
【０１０５】
（実施の形態５）
図８は、実施の形態５に係る電池が備えるセル１００の断面図である。実施の形態５に係る電池が備えるセル１００の構成について、実施の形態１と同様な構成については、同一の符号を付してその詳細な説明を省略する。実施の形態５に係るセル１００は、五つの第１の電極ユニット１，１，・・・、二つの第３の電極ユニット３，３を備える。
【０１０６】
第３の電極ユニット３，３は、負極をなし、第３の電極ユニット３，３に隣接する第１の電極ユニット１，１は正極をなす。また、該第１の電極ユニット１，１夫々に隣接する第１の電極ユニット１，１は、負極をなし、中央に位置する残りの第１の電極ユニット１は、正極をなす。したがって、第１の電極ユニット１，１，・・・及び第３の電極ユニット３，３は並列に接続されている。なお、セル１００は、五つの第１の電極ユニット１，１，・・・及び二つの第３の電極ユニット３，３の正極と負極と反対とする構成であってもよい。
【０１０７】
本構造によれば、全ての電極材に予め電解液を含浸させることとなるので、外装１０１内に電解液を封入する必要がなく、簡単にセル１００を組み立てることができる。また、セル１００は、直列及び並列いずれの構成をも可能とする。
【０１０８】
（実施の形態６）
図９は、実施の形態６に係る電池が備えるセル１００の断面図である。実施の形態６に係る電池が備えるセル１００の構成について、実施の形態１及び実施の形態５と同様な構成については、同一の符号を付してその詳細な説明を省略する。実施の形態６に係るセル１００は、三つの第１の電極ユニット１，１，１、二つの第４の電極ユニット４，４及び第１の電極ユニット１６を備える。
【０１０９】
第４の電極ユニット４，４は、セル１の最外部に位置し、負極をなす。第４の電極ユニット４，４に隣接する第１の電極ユニット１，１６は正極をなす。また、該第１の電極ユニット１及び１６の間に位置する第１の電極ユニット１は負極をなす。また、第１の電極ユニット１６に挟まれた残りの一つの第１の電極ユニット１は、負極をなす。したがって、第１の電極ユニット１，１，１、第４の電極ユニット４，４及び第１の電極ユニット１６は並列に接続されている。なお、三つの第１の電極ユニット１，１，１、二つの第４の電極ユニット４，４及び第１の電極ユニット１６は正極と負極とを反対とする構成であってもよい。
【０１１０】
第４の電極ユニット４は、平板状の第４の電極材４０及び平板状の第４の導電材４１を備える。第４の電極材４０は、活物質及び酸性の電解液を含有する。第４の導電材４１の一面は、第４の被覆膜４２に覆われている。第４の被覆膜４２は、導電性かつ電解液非透過性を有し、例えば、黒鉛でコーティングすることにより形成されている。
【０１１１】
第４の電極ユニット４は、電解液非透過性の第４のシーラント４３を有する。第４のシーラント４３は、額縁状をなし、第４の導電材４１の側面に接触する状態で第４の導電材４１の側面側に設けられている。また、第４のシーラント４３は、第４の被覆膜４２の表面の周縁部に固着されている。
【０１１２】
第４の電極材４０は、第４の被覆膜４２の表面にて、第４のシーラント４３の内側に位置する。したがって、第４の導電材４１の一面は、第４の電極材４０に対向し、第４の被覆膜４２は、第４の導電材４１及び第４の電極材４０の間に設けられていることとなる。
【０１１３】
即ち、第４の電極材４０の側面は、第４のシーラント４３に囲まれている。なお、第４の電極材４０の側面は、第４のシーラント４３に接触する構成、又は第４のシーラント４３に接触せず隙間が設けられている構成のいずれであってもよい。
【０１１４】
また、フィルム１０４は、第４の導電材４１の他面を覆い、第４の電極ユニット４の一部をなす。フィルム１０４の内面は、第４の導電材４１の他面に接している。また、フィルム１０４は、第４の導電材４１よりも大きく、フィルム１０４の内面の面積が、第４の導電材４１の他面の面積よりも大きい。
【０１１５】
第４のシーラント４３は、フィルム１０４の内面における第４の導電材４１の外側の部分に固着されている。第４のシーラント４３は、第４の電極材４０、第４の導電材４１及び第４の被覆膜４２の厚さ及び大きさに対応した段状に形成されている。
【０１１６】
第４の電極ユニット４は、第４のシーラント４３及びフィルム１０４の間から突出するタブ（不図示）を有する。該タブは負極端子１０３に接続される。第４の電極ユニット４，４は、夫々の第４の電極材４０を対向させ、第４の電極材４０に第１の電極ユニット１及び１６が面するように、第１の電極ユニット１，１，１及び１６を挟んでいる。
【０１１７】
第４の電極ユニット４，４は、夫々のフィルム１０４の内面が対向するように配され、フィルム１０４夫々の内面の周縁部が固着されている。
【０１１８】
第４の電極ユニット４を最外部として、電極ユニットを並設し、かつ第４の電極ユニット４のフィルム１０４をセル１００の外装１０１として使用するので、容易に電池を組み立てることができる。
【０１１９】
上記の構成によれば、第１の電極ユニット１６が折り曲げられ、折り曲げられた第１の電極ユニット１６の間に第１の電極ユニット１を挟んでいるので、セル１００の組み立てを容易に行うことができる。
【０１２０】
なお、外装１０１は、フィルム１０４を固着することにより形成する構成に限られず、１枚のシートを二つ折りに折り曲げてなるものでもよい。また、活物質はバナジウムでなく、鉄又はクロムである構成でもよく、電解液は、酸性でなくアルカリ性とする構成であってもよい。
【０１２１】
（実施の形態７）
図１０は、実施の形態７に係る電池が備えるセル１００の断面図である。実施の形態７に係る電池が備えるセル１００の構成について、実施の形態１と同様な構成については、同一の符号を付してその詳細な説明を省略する。
【０１２２】
実施の形態７に係るセル１００は、第１の電極ユニット１及び第５の電極ユニット５，５を有する。第１の電極ユニット１は、実施の形態１と同様の構成である。
【０１２３】
第１の電極ユニット１は、負極をなし、第５の電極ユニット５は、正極をなすように構成されている。したがって、第１の電極ユニット１及び第５の電極ユニット５，５は並列に接続されている。なお、セル１００は、第１の電極ユニット１が正極をなし、第５の電極ユニット５が負極をなす構成であってもよい。
【０１２４】
第５の電極ユニット５は、平板状の第５の電極材５０と、平板状の第５の導電材５１とを有する。第５の電極材５０は、活物質及び酸性の電解液を含有する。第５の導電材５１は、両面に第５の被覆膜５２，５２が設けられている。第５の被覆膜５２は、導電性かつ電解液非透過性であり、第１の被覆膜１５同様、例えば黒鉛コーティングにより形成される。
【０１２５】
第５の電極ユニット５は、更に電解液非透過性の第５のシーラント５３を有する。第５のシーラント５３は、額縁状をなし、第５の導電材５１の側面に接触する状態で第５の導電材５１の側面側に設けられ、第５の導電材５１及び第５の被覆膜５２，５２を挟んでいる。また、第５のシーラント５３は、第５の被覆膜５２，５２の表面の周縁部に固着されている。
【０１２６】
第５の電極材５０は、夫々第５の被覆膜５２の表面にて、第５のシーラント５３の内側に位置している。したがって、第５の導電材５１の両面は、第５の電極材５０，５０に対向し、一方の被覆膜５２は、第５の導電材５１と第５の電極材５０との間に設けられていることとなる。
【０１２７】
また、第５の電極材５０の側面は、第５のシーラント５３に囲まれている。なお、第５の電極材５０の側面は、第５のシーラント５３に接触する構成、又は第５のシーラント５３に接触せず隙間が設けられている構成のいずれであってもよい。
【０１２８】
また、第５の電極ユニット５は、第５のシーラント５３の周縁の一部から突出するタブ（不図示）を有する。該タブは、第５の導電材５１及び正極端子１０２に接続されている。
【０１２９】
第１の電極ユニット１は、積層方向にて第５の電極ユニット５，５に挟まれている。第１の電極ユニット１及び第５の電極ユニット５，５は同一方向に巻かれており、外装１０１内に封入されている。即ち、セル１００はいわゆる捲回式をなす。
【０１３０】
本構成の第１の電極ユニット１において、第１の電極材１０は、第１のシーラント１３及び第１の隔膜１４に覆われることになる。また、第１の電極材１０は第１の被覆膜１２上に配されている。したがって、第１の電極材１０は、第１の被覆膜１２、第１のシーラント１３及び第１の隔膜１４により全体を覆われることとなり、電解液が外部に漏れ出すことを防止できる。
【０１３１】
第１の電極ユニット１は。電解液が漏れ出さないように構成されているため、捲回式のセル１００内であっても実施の形態１同様電解液の混合を防止できる。
【０１３２】
なお、実施の形態１から７までにおいて、第１の電極ユニット１及び１６、第２の電極ユニット２，２４，２５、第３の電極ユニット３、第４の電極ユニット４及び第５の電極ユニット５の個数及び並設順序は限定されるものでなく、隔膜を介して電極材が対向する構成であれば、いかなる個数及び並設順序であってもよい。
【０１３３】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。即ち、請求項に示した範囲で適宜変更した技術的手段を組み合わせて得られる実施形態も本発明の技術的範囲に含まれる。
【符号の説明】
【０１３４】
１、１６  第１の電極ユニット
２、２４、２５  第２の電極ユニット
３  第３の電極ユニット
４  第４の電極ユニット
１０、１６０  第１の電極材
１１、１６１  第１の導電材
１２、１６２  第１の被覆膜（第１の被覆部）
１３、１６３  第１のシーラント
１４、１６４  第１の隔膜
２０、２４０、２５０  第２の電極材
２１、２４１、２５１  第２の導電材
２２、２４２、２５２  第２の被覆膜（第２の被覆部）
２３、２４３、２５３  第２のシーラント
３０  第３の電極材
３１  第３の導電材
３２  第３の被覆膜（第３の被覆部）
３３  第３のシーラント
３４  第３の隔膜
４０  第４の電極材
４１  第４の導電材
４２  第４の被覆膜（第４の被覆部）
４３  第４のシーラント
１０１  外装
１０４  フィルム
【図１】
2016186862.tif 000003
【図２】
2016186862.tif 000004
【図３】
2016186862.tif 000005
【図４】
2016186862.tif 000006
【図５】
2016186862.tif 000007
【図６】
2016186862.tif 000008
【図７】
2016186862.tif 000009
【図８】
2016186862.tif 000010
【図９】
2016186862.tif 000011
【図１０】
2016186862.tif 000012